(57)【要約】【目的】製作経費が安価で清掃等を行ない易い上肢用部分浴槽を提供することにある。【構成】上肢用部分浴槽（１）において、浴槽（２）の上縁（２９）に波返し（２８）を載設し、波返し（２８）は浴槽（２）の上縁（２９）に着脱容易であり、波返し（２８）は上腕を支持する上腕支持具を兼ね、波返し（２８）の表面にはクッション材（３０）が貼られ、浴槽（２）内の湯を循環させるポンプ（３５）が浴槽（２）の外部に設けられ、ポンプ（３５）から吐出した湯を浴槽（２）内へ噴出するノズル（１５）が、浴槽（２）の側内壁に設けられ、該ノズル（１５）には当該ノズル（１５）へ外気を供給する空気管（４８）の基端が連通され、該空気管（４８）の先端は、浴槽（２）上面で開度調整操作できるエアー調節バルブ（９）に連通される上肢用部分浴槽である。【選択図】      図１
2004267418.tif 000002
【特許請求の範囲】
【請求項１】
上肢用部分浴槽（１）において、浴槽（２）の上縁（２９）に波返し（２８）を載設したことを特徴とする上肢用部分浴槽。
【請求項２】
波返し（２８）は浴槽（２）の上縁（２９）に着脱容易であることを特徴とする請求項１記載の上肢用部分浴槽。
【請求項３】
波返し（２８）は上腕を支持する上腕支持具を兼ねることを特徴とする請求項１記載の上肢用部分浴槽。
【請求項４】
波返し（２８）の表面にはクッション材（３０）が貼られることを特徴とする請求項１記載の上肢用部分浴槽。
【請求項５】
浴槽（２）内の湯を循環させるポンプ（３５）が浴槽（２）の外部に設けられ、ポンプ（３５）から吐出した湯を浴槽（２）内へ噴出するノズル（１５）が、浴槽（２）の側内壁に設けられ、該ノズル（１５）には当該ノズル（１５）へ外気を供給する空気管（４８）の基端が連通され、該空気管（４８）の先端は、浴槽（２）上面で開度調整操作できるエアー調節バルブ（９）に連通されることを特徴とする請求項１記載の上肢用部分浴槽。
【請求項６】
ノズル（１５）は、浴槽（２）の左・右側内壁（１２）（１３）、後内壁（１４）にそれぞれ設けられる左、右、後ノズル（１５ａ）（１５ｂ）（１５ｃ）であることを特徴とする請求項５記載の上肢用部分浴槽。
【請求項７】
左、右、後ノズル（１５ａ）（１５ｂ）（１５ｃ）の各ノズルには、ポンプ（３５）との間に左、右、後ノズル用開閉弁（３７）（３８）（３９）が設けられ、前記左、右、後ノズル（１５ａ）（１５ｂ）（１５ｃ）からの噴出湯は個別に停動操作できることを特徴とする請求項６記載の上肢用部分浴槽。
【発明の詳細な説明】
【０００１】
【産業上の利用分野】
本発明は、身体の上肢に障害や疾病を持つ者（以下患者という）の上肢部分を温浴するための上肢用部分浴槽に関する。
【０００２】
【従来の技術】
【特許文献】特開平６−７８８５８号
従来の技術としての前記特許文献には、容器と吐水部材とを有する足洗器において、混合弁を該足洗器に一体に組み込んだ足洗器が開示されている。更に、前記容器の上縁部分に波返しが形成されている。
【０００３】
【発明が解決しようとする課題】
前記従来装置に開示された波返しは、水が外部に零れ出すことを防止するものであるが、該波返しは容器の上縁部分に内方にせり出して一体に成形されたものであるから、波返しに係る容器製作が複雑でありその分製作経費が嵩む。
又、波返しは容器の内方にせり出しているので、容器を掃除する時邪魔になり、
掃除を行ない難くしている。
【０００４】
本発明の目的は、上記難点を解決したものであり、製作経費が安価で清掃等を行ない易い上肢用部分浴槽を提供することにある。
【０００５】
【課題を解決するための手段】
即ち本発明は、上肢用部分浴槽（１）において、浴槽（２）の上縁（２９）に波返し（２８）を載設したことを特徴とする上肢用部分浴槽である。
又、波返し（２８）は浴槽（２）の上縁（２９）に着脱容易である。
更に、波返し（２８）は上腕を支持する上腕支持具を兼ねる。
更に又、波返し（２８）の表面にはクッション材（３０）が貼られる。
又、浴槽（２）内の湯を循環させるポンプ（３５）が浴槽（２）の外部に設けられ、ポンプ（３５）から吐出した湯を浴槽（２）内へ噴出するノズル（１５）が、浴槽（２）の側内壁に設けられ、該ノズル（１５）には当該ノズル（１５）へ外気を供給する空気管（４８）の基端が連通され、該空気管（４８）の先端は、浴槽（２）上面で開度調整操作できるエアー調節バルブ（９）に連通される。更に、ノズル（１５）は、浴槽（２）の左・右側内壁（１２）（１３）、後内壁（１４）にそれぞれ設けられる左、右、後ノズル（１５ａ）（１５ｂ）（１５ｃ）である。
更に又、左、右、後ノズル（１５ａ）（１５ｂ）（１５ｃ）の各ノズルには、ポンプ（３５）との間に左、右、後ノズル用開閉弁（３７）（３８）（３９）が設けられ、前記左、右、後ノズル（１５ａ）（１５ｂ）（１５ｃ）からの噴出湯は個別に停動操作できる。
【０００６】
【作用】
本発明に係る上肢用部分浴槽１に湯を供給し溜める。患者は浴槽２に上肢を浸け、温浴治療を行なう。
浴槽２の上縁２９には、浴槽２とは別体の波返し２８が載設されており、該波返し２８は浴槽２内の湯を循環させるポンプ３５から吐出した湯により盛り上がった湯・波を浴槽２内に戻し、飛散した湯を浴槽２内に戻す。
【０００７】
浴槽２の上縁２９に着脱容易に設けられた波返し２８は、掃除時その他必要な時に離脱する。波返し２８を離脱すれば浴槽２内の掃除がやり易い。
【０００８】
患者は、浴槽２内に肘、前腕及び手を入れ、それらを暖める。患者は、前述の所作時に、前記波返し２８に上腕を乗せる。波返し２８は、上腕を支持する上腕支持具を兼ねる
【０００９】
波返し２８の表面に貼られるクッション材３０は、この上に乗る上腕に接触し該上腕を快適に支持する。
【００１０】
左・右・後ノズル１５ａ、１５ｂ、１５ｃのそれぞれに基端が連通される空気管４８は、左・右・後ノズル１５ａ、１５ｂ、１５ｃのそれぞれに外気を供給する。
エアー調節バルブ９は、浴槽２上面で開度を手動で調節操作してノズル１５へ供給する外気の量を調節する。
【００１１】
浴槽２の外部に設けられるポンプ３５は浴槽２内の湯を循環させる。浴槽２の左、右側内壁１２、１３、後内壁１４のそれぞれに設けられる左、右、後ノズル１５ａ、１５ｂ、１５ｃは、ポンプ３５から吐出した湯を浴槽２内へ噴出する。
【００１２】
左・右・後ノズル１５ａ、１５ｂ、１５ｃの各ノズルとポンプ３５との間に設けられ左、右、後ノズル用開閉弁３７、３８、３９は、その開閉作動によって各ノズルからの噴出湯を個別に停動させる。
【００１３】
【実施例】
実施例を図１乃至６に示す。
実施例の上肢用部分浴槽１は、浴槽２と、浴槽２の下位に在って該浴槽２を支持する支持部３と、支持部３の下位に在って支持部３を支持する脚４とからなる。
【００１４】
浴槽２は、該浴槽２の前部に設けられ平面視略長方形の開口部５を有した湯を溜める貯湯器６と、浴槽２の後部に設けられるメインパネル７とからなる。
浴槽２の前壁８は後方（＝内側）に向かって平面視円弧状に凹んでいる。
メインパネル７面は貯湯器６に向かって下降傾斜される。
浴槽２の上面左方部には、エアー調節バルブ９と、オーバーフロー部１０等が設けられる。浴槽２の上面右方部には給湯用ホース差込み口１１が設けられる。
【００１５】
浴槽２の左・右側内壁１２、１３及び後内壁１４の三箇所に左・右・後ノズル１５ａ、１５ｂ、１５ｃが各一個ずつ設けられる。
又、貯湯器６内に、貯湯器６内の温度を測る温度センサー１８が設けられる。貯湯器６の底部２０には気泡盤１９が設けられる。
【００１６】
貯湯器６の底部２０には窪み２１が形成され、該窪み２１の窪み側壁２２に、窪み２１内に存在させるヒーター２３、及び、水位センサー２４が取着される。更に、窪み２１の窪み底壁２５に、吸込み口２６が開設される。窪み２１の上面は多孔板でなるヒーターカバー２７で覆われる。
【００１７】
浴槽２の左側内壁１２の上縁２９、前壁８の上縁２９及び、右側内壁１３の上縁２９に、波返し２８が載設される。
波返し２８は、対向する左側内壁１２と右側内壁１３との間に嵌め込まれ適宜に固定され、浴槽２の上縁２９に着脱容易である。
【００１８】
波返し２８は、浴槽２の内方に向かって所定幅突出している。
実施例を使用中に患者は上腕を波返し２８に乗せることができる。波返し２８は患者の上腕を支持する上腕支持具を兼ねる。
波返し２８の表面には適宜なクッション材３０が貼られる。
【００１９】
前記支持部３は浴槽２の後部を支持している。支持部３の支持部前壁３１は平面視円弧状に凹んでいる。支持部前壁３１の前方は、実施例装置を使用する患者の下肢が入る空間である。
支持部前壁３１には排水パネル３２が設けられている。該排水パネル３２には、
強制排水バルブ３３と、自然排水バルブ３４とが配設される。
【００２０】
浴槽２内の湯を循環させるポンプ３５が支持部３内に設けられる。
ポンプ３５の吐出口３６は、ポンプ３５から吐出した湯を浴槽２内へ噴出する左、右、後ノズル１５ａ、１５ｂ、１５ｃへ分岐箱４０及びノズル用開閉弁３７、３８、３９を介して連通される。
【００２１】
ポンプ３５の吐出口３６には、分岐箱４０が接続される。分岐箱４０に強制排水バルブ３３の入力口４１、及び、各ノズルから噴出させる湯を個別に停動させる左、右、後ノズル用開閉弁３７、３８、３９が接続される。左、右、後ノズル１５ａ、１５ｂ、１５ｃと左、右、後ノズル用開閉弁３７、３８、３９は噴流ホース４２で繋がれる。
【００２２】
前記強制排水バルブ３３の出力口４３には排水管４４が接続される。強制排水バルブ３３には閉時は非導通作動（＝オフ）するリミットスイッチ４５が設けられる。リミットスイッチ４５が非導通作動している時が通常の治療状態である。即ち、強制排水バルブ３３が閉まっている時が、治療状態である。強制排水バルブ３３を開けると、リミットスイッチ４５が導通作動しポンプ３５を作動させ、左、右、後ノズル用開閉弁３７、３８、３９を閉め排水を行う。
【００２３】
前記吸込み口２６には、ポンプ３５の吸入口４６、及び、自然排水用バルブ３４が、それぞれ噴流ホース４２で接続される。
前記吸込み口２６にはフィルター４７が設けられる。
【００２４】
左、右、後ノズル１５ａ、１５ｂ、１５ｃのそれぞれには当該ノズル１５ａ、１５ｂ、１５ｃへ外気を供給する空気管４８の基端が連通され、該空気管４８の先端は浴槽２上面で開度調節操作できるエアー調節バルブ９に連通される。
【００２５】
支持部３内にブロアー４９が載設される。ブロアー４９のブロアー吐出口５０は気泡盤１９に気泡ホース５１で接続される。
尚、図２中１６はキャスター、１７はアジャスターである。
【００２６】
実施例を使用する際は、浴槽２へ湯を供給する。湯が所定量貯まると浴槽２への湯の供給を自動停止させる。電源スイッチ５２を入れる。
ヒーター２３は湯を加温又は保温し、設定した温度を維持する。
【００２７】
患者は腰掛姿勢で浴槽２に向かい、左右の、肘、前腕、手を浴槽２に入れ、湯に浸し、温熱治療を行なう。
下肢は支持部３の前方空間部に位置し、膝は支持部前壁３１の凹み部へ当てがい、腹又は胸部は浴槽２の前壁８の凹み部へ当てがい、患者は楽な姿勢で浴槽２に接近し位置する。
【００２８】
渦流浴を行なう場合は、ポンプ３５を回転させる。浴槽２内の湯を吸込み口２６から吸入し、ノズル１５から空気混じりの湯を噴出し、浴槽２内の湯を循環させる。
ノズル１５から噴出する空気混じりの湯で、患者の上肢を刺激しながら温熱治療する。
浴槽２の外部下方に設けられるポンプ３５は浴槽２内の湯を循環させる。
【００２９】
浴槽２の左側、右側内壁１２、１３、後内壁１４の各内壁に設けられ
る左、右、後ノズル１５ａ、１５ｂ、１５ｃは、ポンプ３５から吐出した湯を浴槽２内へ噴出する。
【００３０】
左、右、後ノズル１５ａ、１５ｂ、１５ｃを全部噴流作動させることもでき、左、右、後ノズル１５ａ、１５ｂ、１５ｃの内から適宜選択したノズルだけを噴流作動させることもできる。
【００３１】
左、右、後ノズル１５ａ、１５ｂ、１５ｃの各ノズルとポンプ３５との間に設けられた左、右、後ノズル用開閉弁３７、３８、３９を開放して、所定ノズルからの噴出湯を個別に作動させる。
左、右、後ノズル用開閉弁３７、３８、３９を閉止して、所定ノズル
からの噴出湯を個別に停止させる。
【００３２】
ノズル１５に基端が連通される空気管４８は、ノズル１５に外気を供給する。
ノズル１５は、空気管４８から外気を吸入し、空気混じりの湯を浴槽
２内へ噴出させる。
エアー調節バルブ９は、浴槽２上面で開度を手動で調節操作してノズル１５へ混入する外気の量を調節する。エアー調節バルブ９は、浴槽２上面で開度を手動で締め開度を狭めてノズル１５へ混入する外気の量を減らす。又は、エアー調節バルブ９の開度を手動で開け開度を広めてノズル１５へ混入する外気の量を増す。
【００３３】
気泡浴を行なう場合は、ブロアー４９を運転させる。気泡盤１９から気泡が湯中に噴出し、湯中を上方へ通過する。そのような状況の湯で患者の上肢を温熱治療する。気泡量は、ブロアー４９へ掛ける電圧を昇降させることによって増減させている。
【００３４】
使用中に浴槽２内の湯が盛り上がり溢れようとするが、浴槽２内に突出した波返し２８の裏面部分に当たって浴槽２内に戻る。
又、使用中に浴槽２内で移動している湯が浴槽２の内壁に当たって飛散しようとするが、波返し２８の前記裏面部分に当たって浴槽２内に戻る。
【００３５】
浴槽２の上縁２９に着脱容易に設けられた波返し２８を掃除時その他必要時には離脱する。
波返し２８を離脱すれば浴槽２内の掃除がやり易い。
波返し２８は、着脱可能であるから、他の形状のものに取り替えたり、他の品質のものに取り替えたり、新しいものに取り替えたりする等、適宜に取り替えることもできる。例えば、波返し２８の、浴槽２内への突出部分の幅を広いものに替えたり又は狭いものにかえたり、波返し２８の素材を金属製に替えたり又は樹脂製に替えたりできる。
患者は、前述の温熱治療の所作をしている時に、前記波返し２８に上腕を乗せる。波返し２８は、上腕を支持する上腕支持具を兼ねる。
【００３６】
波返し２８の表面に貼られるクッション材３０は、この上に乗る上腕に接触し該上腕を快適に支持する。
【００３７】
【発明の効果】
本発明は、上肢用部分浴槽１において浴槽２の上縁２９に波返し２８を載設したものであるから、浴槽２の上縁２９の形状が複雑でなく、製作費が安価であり、好都合である。
【００３８】
又、従来装置のように波返しを浴槽２に一体的に形成しないので波返し２８を他の形状のものに取り替えることも可能である。例えば、波返し２８の、浴槽２内への突出部分の幅を広いものに替えたり又は狭いものにかえたりできる。又、他の品質のものに取り替えることも可能である。例えば、波返し２８の素材を金属製に替えたり又は樹脂製に替えたりでき、汎用性を向上でき、好都合である。
【００３９】
本発明に係る波返し２８は、浴槽２の上縁２９に着脱容易であるから、浴槽２内を掃除する時には波返し２８を取り外して行なえば掃除をし易く、好都合である。
【００４０】
本発明に係る波返し２８は、上腕を支持する上腕支持具を兼ねるから、前腕、肘及び手を浴槽２に浸けて使用している時に楽であり、好都合である。
【００４１】
本発明に係る波返し２８の表面にはクッション材３０が貼られるから、該クッション材３０に上腕を乗せて長時間使用しても、上腕が痛くなく、好都合である。
【００４２】
本発明は、ノズル１５には当該ノズル１５へ外気を供給する空気管４８の基端が連通され、該空気管４８の先端は浴槽２上面で開度調整操作できるエアー調節バルブ９に連通されるから、施療者の他に、患者でも空気混入量を容易に調節でき、患者に好適なエアー量の渦流浴を提供でき、好都合である。
【００４３】
本発明は、浴槽２内の湯を循環させるポンプ３５が浴槽２の下方外部に設けられ、ポンプ３５から吐出した湯を浴槽２内へ噴出する左・右・後ノズル１５ａ、１５ｂ、１５ｃが、浴槽２の左、右側内壁１２、１３及び後内壁１４の各内壁にそれぞれ設けられるから、一度に、多方向から噴流を上肢に当てて上肢の多面を同時に刺激しながら高能率に温熱治療でき、好都合である。
【００４４】
本発明は、左・右・後ノズル１５ａ、１５ｂ、１５ｃの各ノズルには、ポンプ３５との間に左、右、後ノズル用開閉弁３７、３８、３９が設けられ、各ノズルからの噴出湯は個別に停動操作できるから、特定箇所のみ温熱治療したい時には、その治療に必要なノズルを選択し作動させることが出来、効果的な治療が行え、好都合である。
【図面の簡単な説明】
【図１】本発明の実施例の平面図である。
【図２】本発明の実施例の左側面図である。
【図３】本発明の実施例の正面図である。
【図４】本発明の実施例の配管系統図である。
【図５】図３中の矢視Ａ―Ａの断面図である。
【図６】図１中の矢視Ｂ―Ｂの断面図である。
【符号の説明】
２    浴槽
９    エアー調節バルブ
１２    左側内壁
１３    右側内壁
１４    後内壁
１５    ノズル
１５ａ  左ノズル
１５ｂ  右ノズル
１５ｃ  後ノズル
２８    波返し
２９    上縁
３０    クッション材
３５    ポンプ
３７    左ノズル用開閉弁
３８    右ノズル用開閉弁
３９    後ノズル用開閉弁
４８    空気管
【図１】
2004267418.tif 000003
【図２】
2004267418.tif 000004
【図３】
2004267418.tif 000005
【図４】
2004267418.tif 000006
【図５】
2004267418.tif 000007
【図６】
2004267418.tif 000008